(57)【特許請求の範囲】
【請求項１】
デバイスインタフェースを有するメインデバイスと、
前記デバイスインタフェースに接続され、かつバス規格を前記デバイスインタフェースと同一とした、外部デバイス接続用の第１インタフェースと、
バス規格が前記デバイスインタフェースと異なる外部デバイス接続用の第２インタフェースと、
バス規格を前記デバイスインタフェースと同一としたループバック用の第３インタフェースと、
前記第２インタフェースと第３インタフェースとに接続され、それらのバス規格の異なるインタフェース間の伝送を可能とする第１の伝送形式変換装置と、
前記第１インタフェースと接続可能な第４インタフェースと前記第３インタフェースと接続可能な第５インタフェースとを接続したものよりなるループバックコネクタ
とを備えることを特徴とする複数のインタフェースを有する情報処理装置。
【請求項２】
第１インタフェースと第３インタフェースとを外装ケースに互いに近接して配設し、前記外装ケースに着脱可能としたループバックコネクタを前記外装ケースに装着したとき、第４インタフェースが前記第１インタフェースと、また第５インタフェースが前記第３インタフェースとそれぞれ接続されるようにした請求項１記載の複数のインタフェースを有する情報処理装置。
【請求項３】
ループバックコネクタを、第２インタフェースを閉塞するようにして、外装ケースに装着可能とした請求項２記載の複数のインタフェースを有する情報処理装置。
【請求項４】
バス規格がデバイスインタフェースと第２インタフェースとのいずれとも異なる外部デバイス接続用の第６インタフェースと、
バス規格をデバイスインタフェースと同一としたループバック用の第７インタフェースと、
前記第６インタフェースと第７インタフェースとに接続され、それらのバス規格の異なるインタフェース間の伝送を可能とする第２の伝送形式変換装置
とをさらに備え、ループバックコネクタにおける第５インタフェースを、第３インタフェースと第７インタフェースとに選択的に接続可能としたことを特徴とする請求項１〜３のいずれかに記載の複数のインタフェースを有する情報処理装置。    
【請求項５】
請求項１〜４のいずれかに記載の複数のインタフェースを有する情報処理装置におけるメインデバイスを磁気テープデバイスとし、デバイスインタフェースと第１、第３、第４および第５インタフェースのバス規格をＳＡＳとし、第２インタフェースのバス規格をＵＳＢとし、かつ第１の伝送形式変換装置を、ＳＡＳ／ＵＳＢ変換装置としたことを特徴とする磁気テープ装置。
【発明の詳細な説明】
【技術分野】
【０００１】
本発明は、バス規格の異なる複数のインタフェースを有する情報処理装置および磁気テープ装置に関する。
【背景技術】
【０００２】
伝送方式や伝送速度等が異なるバス規格の複数のインタフェースを有する従来の情報処理装置としては、記憶デバイスにおけるデバイスインタフェースを、第１インタフェースである第１外部コネクタ(ＵＳＢコネクタ)と、第２インタフェースである第２外部コネクタ(ＥーＳＡＴＡコネクタ)とに、適宜の伝送形式変換手段(変換ＬＳＩ)を介して接続したものがある(例えば特許文献１参照)。
【０００３】
また、現在市販されている磁気テープ装置において採用されているインタフェースは、ＳＡＳ(Serial Attached SCSI)インタフェースが主流となっている。
【先行技術文献】
【特許文献】
【０００４】
【特許文献１】特開２００８−１６５４８９号公報
【発明の概要】
【発明が解決しようとする課題】
【０００５】
特許文献１に記載されているものにおいては、デバイスインタフェースを、第１インタフェースと第２インタフェースとに分岐して接続するための分岐手段、または分配手段や、どちらの接続を有効とするかを選択するための切換手段、並びに現在第１および第２のどちらのインタフェースが有効となっているかを表示する表示手段等の多くの付属手段が必要であり、構造が複雑化し、かつ高価となっている。
【０００６】
また、磁気テープ装置において採用されているＳＡＳインタフェースは、サーバの電源をシャットダウンしなければ、磁気テープ装置を交換したり、磁気テープ装置を他のサーバへ接続したりすることはできないようになっている。
近年、サーバの電源をシャットダウンすることなく、容易に装置交換および接続変更を可能とした、ＵＳＢインタフェースを有する磁気テープ装置が開発されているが、ＵＳＢインタフェースの磁気テープ装置は、ＳＡＳインタフェースの磁気テープ装置に比べて、データ転送速度が低いという問題がある。
【０００７】
本発明は、従来の技術が有する上記のような問題点に鑑み、メインデバイスのデバイスインタフェースを、分岐手段や分配手段を用いることなく、互いにバス規格の異なる第１インタフェースと第２インタフェースとに接続することができ、しかも、第１および第２のどちらのインタフェースを有効とするかを選択するための切換手段や、現在第１および第２のどちらのインタフェースが有効となっているかを表示する表示手段等の付属手段を設ける必要がなく、構造が簡単で、安価に製造できるようにした、複数のインタフェースを有する情報処理装置を提供することを目的としている。
【０００８】
また、本発明は、高速のデータ転送速度が要求されるアプリケーションでは、ＳＡＳインタフェースを使用でき、モバイル用途等、複数のサーバやＰＣに接続したい場合には、簡単な操作で、それらをＵＳＢインタフェースに接続して、データ転送ができるようにした磁気テープ装置を提供することをも目的としている。
【課題を解決するための手段】
【０００９】
本発明によると、上記課題は次のようにして解決される。
(１)  複数のインタフェースを有する情報処理装置において、デバイスインタフェースを有するメインデバイスと、前記デバイスインタフェースに接続され、かつバス規格を前記デバイスインタフェースと同一とした、外部デバイス接続用の第１インタフェースと、バス規格が前記デバイスインタフェースと異なる外部デバイス接続用の第２インタフェースと、バス規格を前記デバイスインタフェースと同一としたループバック用の第３インタフェースと、前記第２インタフェースと第３インタフェースとに接続され、それらのバス規格の異なるインタフェース間の伝送を可能とする第１の伝送形式変換装置と、前記第１インタフェースと接続可能な第４インタフェースと前記第３インタフェースと接続可能な第５インタフェースとを接続したものよりなるループバックコネクタとを備えるものとする。
【００１０】
このような構成によると、バス規格がデバイスインタフェースと同一のインタフェースを有する外部デバイスは、そのインタフェースを第１インタフェースに接続することにより、メインデバイスとのデータ伝送が可能となる。
バス規格が第２インタフェースと同一のインタフェースを有する外部デバイスは、そのインタフェースを第２インタフェースに接続し、かつ第１インタフェースにループバックコネクタの第４インタフェースを、また第３インタフェースに同じく第５インタフェースをそれぞれ接続することにより、第１の伝送形式変換装置を介して、メインデバイスとのデータ伝送が可能となる。
したがって、ループバックコネクタを着脱するだけで、メインデバイスのデバイスインタフェースを、分岐手段や分配手段を用いることなく、互いにバス規格の異なる第１インタフェースと第２インタフェースとに選択的に接続することができるだけでなく、ループバックコネクタを接続するかしないかによって、第１インタフェースと第２インタフェースとのいずれを有効とし、いずれを無効とするかを定めることができるので、特別な切換手段を設ける必要がなく、しかもループバックコネクタが接続されているか否かを見ただけで、どちらが有効となっているかを即座に判断することができるので、どちらが有効になっているかを表示する表示手段等の付属手段を設ける必要がなく、構造が簡単で、安価に製造することができる。
【００１１】
(２)  上記(１)項において、第１インタフェースと第３インタフェースとを外装ケースに互いに近接して配設し、前記外装ケースに着脱可能としたループバックコネクタを前記外装ケースに装着したとき、第４インタフェースが前記第１インタフェースと、また第５インタフェースが前記第３インタフェースとそれぞれ接続されるようにする。
【００１２】
このような構成によると、ループバックコネクタを前記外装ケースに装着することにより、第４インタフェースが第１インタフェースに、また第５インタフェースが第３インタフェースにそれぞれ接続されるので、接続作業が簡単である。
【００１３】
(３)  上記(２)項において、ループバックコネクタを、第２インタフェースを閉塞するようにして、外装ケースに装着可能とする。
【００１４】
このような構成によると、ループバックコネクタを、第２インタフェースを閉塞するようにして、外装ケースに装着することにより、第２インタフェースに他のインターフェースを接続できなくなり、そのことによって、第２インタフェースが無効状態にあることを容易に知ることができる。
したがって、このループバックコネクタが、第１インタフェースが有効、かつ第２インタフェースが無効の状態にあることを示す表示装置の役割を果たし、誤接続を防止することができる。
また、ループバックコネクタの不使用時に、ループバックコネクタが紛失するのを防止することができる。
【００１５】
(４)  上記(１)〜(３)項のいずれかにおいて、バス規格がデバイスインタフェースと第２インタフェースとのいずれとも異なる外部デバイス接続用の第６インタフェースと、バス規格をデバイスインタフェースと同一としたループバック用の第７インタフェースと、前記第６インタフェースと第７インタフェースとに接続され、それらのバス規格の異なるインタフェース間の伝送を可能とする第２の伝送形式変換装置とをさらに備え、ループバックコネクタにおける第５インタフェースを、第３インタフェースと第７インタフェースとに選択的に接続可能とする。
【００１６】
このような構成によると、バス規格がデバイスインタフェースと第２インタフェースとのいずれとも異なるインタフェースを有する外部デバイスとメインデバイスとのデータ伝送が可能となり、汎用性が増す。
【００１７】
(５)  上記(１)〜(４)項のいずれかの、複数のインタフェースを有する情報処理装置におけるメインデバイスを磁気テープデバイスとし、デバイスインタフェースと第１、第３、第４および第５インタフェースのバス規格をＳＡＳとし、第２インタフェースのバス規格をＵＳＢとし、かつ第１の伝送形式変換装置を、ＳＡＳ／ＵＳＢ変換装置として、磁気テープ装置を形成する。
【００１８】
このような構成によると、高速のデータ転送速度が要求されるアプリケーションでは、ループバックコネクタを外した状態で、外部デバイスのＳＡＳインタフェースを第１インタフェースに接続し、バス規格をＳＡＳとして、高速でデータ転送することができ、また、モバイル用途等、複数のサーバやＰＣに接続したい場合には、第１インタフェースと第３インタフェースとをループバックコネクタにより接続した状態で、外部デバイスのＵＳＢインタフェースを第２インタフェースに接続し、バス規格をＵＳＢとして、データ転送することができる。
【発明の効果】
【００１９】
本発明によると、メインデバイスのデバイスインタフェースを、分岐手段や分配手段を用いることなく、互いにバス規格の異なる第１インタフェースと第２インタフェースとに接続することができ、しかも、第１および第２のどちらのインタフェースを有効とするかを選択するための切換手段や、現在第１および第２のどちらのインタフェースが有効となっているかを表示する表示手段等の付属手段を設ける必要がなく、構造が簡単で、安価に製造できるようにした、複数のインタフェースを有する情報処理装置を提供することができる。
また、本発明によると、高速のデータ転送速度が要求されるアプリケーションでは、ＳＡＳインタフェースを使用でき、モバイル用途等、複数のサーバやＰＣに接続したい場合には、簡単な操作で、それらをＵＳＢインタフェースに接続して、データ転送ができるようにした磁気テープ装置を提供することができる。
【図面の簡単な説明】
【００２０】
【図１】本発明を磁気テープ装置に適用した第１の実施形態を模式的に示す概略構成図である。
【図２】同じく、ＳＡＳインタフェースを使用する際の概略構成図である。
【図３】同じく、ＵＳＢインタフェースを使用する際の概略構成図である。
【図４】本発明を磁気テープ装置に適用した第２の実施形態を模式的に示す概略構成図である。
【図５】(ａ)は、外部デバイス接続用の３個のインタフェースと、ループバックコネクタにおける２個のインタフェースとの一接続関係を示す模式図、(ｂ)は、同じく他の接続関係を示す模式図である。
【発明を実施するための形態】
【００２１】
以下、本発明を磁気テープ装置に適用した第１の実施形態を、図１〜図３を参照して詳細に説明する。
【００２２】
図１に示すように、情報処理装置の一種であるこの磁気テープ装置１は、外装ケース２内に設けた、メインデバイスである磁気テープデバイス(例えばＬＴＯ(Linear Tape-Open))３を備えている。
【００２３】
磁気テープデバイス３は、バス規格をＳＡＳとしたデバイスインタフェース４を有している。
【００２４】
外装ケース２の外壁部には、バス規格をデバイスインタフェース４と同一のＳＡＳとした外部デバイス接続用の第１インタフェース５と、バス規格をＳＡＳとは異なるＵＳＢとした外部デバイス接続用の第２インタフェース６とが設けられている。
【００２５】
また、外装ケース２の外壁部には、バス規格をＳＡＳとしたループバック用の第３インタフェース７が、第１インタフェース５に近接するようにして配設されている。
この第３インタフェース７と第１インタフェース５とは、後述するループバックコネクタ１３接続用として外装ケース２の外壁部に設けられたコネクタ８内に設けられている。
【００２６】
デバイスインタフェース４と第１インタフェース５とは、ケーブル９をもって接続されている。
なお、デバイスインタフェース４を、そのまま第１インタフェース５とし、ケーブル９を省略することもある。
【００２７】
外装ケース２内には、互いにバス規格が異なるＳＡＳインタフェース１０と、上記第２インタフェース６としたＵＳＢインタフェースとを有し、それらのバス規格の異なるインタフェース１０、６間の伝送を可能とする第１の伝送形式変換装置(ＳＡＳ／ＵＳＢ)１１が設けられている。
【００２８】
この伝送形式変換装置１１におけるＳＡＳインタフェース１０は、ケーブル１２をもって、第３インタフェース７に接続されている。
なお、ＳＡＳインタフェース１０を、そのまま第３インタフェース７とし、ケーブル１２を省略することもある。
【００２９】
また、この第１の実施形態においては、伝送形式変換装置１１のＵＳＢインタフェースを、第２インタフェース６と共用しているが、それらを互いに別部材とし、その相互間をケーブル(図示略)をもって接続することもある。
【００３０】
磁気テープ装置１は、さらに、コネクタ８に着脱可能としたループバックコネクタ１３を備えている。
このループバックコネクタ１３は、第１インタフェース５と接続可能な第４インタフェース１４と、第３インタフェース７と接続可能な第５インタフェース１５とを、ケーブル１６をもって接続したものよりなっており、コネクタ８に装着したとき、第４インタフェース１４が第１インタフェース５に、また第５インタフェース１５が第３インタフェース７にそれぞれ接続されるようになっている。
第４インタフェース１４と第５インタフェース１５のバス規格は、いずれもデバイスインタフェース４、第１および第３インタフェース５、７と同一のＳＡＳとしてある。
【００３１】
この磁気テープ装置１を、図２に示すＳＡＳインタフェース１７を有する外部デバイス(例えばＵＮＩＸ（登録商標）)１８に接続して、それらの間で情報を高速で伝送させたい場合は、図２に示すように、コネクタ８からループバックコネクタ１３を外した状態で、外部デバイス１８のＳＡＳインタフェース１７を、第１インタフェース５に接続する。
このとき、第２インタフェース６は、磁気テープデバイス３とは接続されていないので、無効状態となっている。
この状態で、ＳＡＳインタフェースを用いた磁気テープデバイス３と外部デバイス１８との間の高速のデータ転送が可能となる。
【００３２】
磁気テープ装置１を、図３に示すＵＳＢインタフェース１９を有する外部デバイス(例えばＰＣ)２０に接続して、それらの間で情報を伝送させたい場合は、図３示すように、ループバックコネクタ１３をコネクタ８に装着し、第４インタフェース１４を第１インタフェース５に、また第５インタフェース１５を第３インタフェース７にそれぞれ接続した状態で、外部デバイス２０のＵＳＢインタフェース１９を、第２インタフェース６に接続する。
この状態で、伝送形式変換装置１１を介して、ＵＳＢインタフェースを用いた磁気テープデバイス３と外部デバイス２０との間のデータ転送が可能となる。
【００３３】
このとき、第１インタフェース５には、ループバックコネクタ１３における第４インタフェース１４が接続されているので、ここに誤って外部デバイス１８のＳＡＳインタフェース１７や、外部デバイス２０のＵＳＢインタフェース１９を接続するといった誤接続を防止することができる。
【００３４】
この第１の実施形態によると、磁気テープデバイス３のデバイスインタフェース４を、分岐手段や分配手段を用いることなく、互いにバス規格の異なる第１インタフェース５と第２インタフェース６とに選択的に接続することができ、しかも、第１および第２のどちらのインタフェース５、６を有効とするかを選択するための切換手段や、現在第１および第２のどちらのインタフェース５、６が有効となっているかを表示する表示手段等の付属手段を設けることなく、その判別をすることができ、構造が簡単で、安価に製造することができる、複数のインタフェースを有する磁気テープ装置を提供することができる。
【００３５】
また、高速のデータ転送速度が要求されるアプリケーションでは、ＳＡＳインタフェースである第１インタフェース５を使用でき、モバイル用途等、複数のサーバやＰＣに接続したい場合には、ループバックコネクタ１３をコネクタ８に接続するという簡単な操作を伴って、それらをＵＳＢインタフェースである第２インタフェース６に接続して、データ転送ができるようにした磁気テープ装置を提供することができる。
【００３６】
上記第１の実施形態は、本発明を、バス規格が互いに異なる第１インタフェース(ＳＡＳ)５と第２インタフェース(ＵＳＢ)６とを備える磁気テープ装置に適用したものであるが、本発明は、例えば図４に示す第２の実施形態のように、バス規格が互いに異なる３個以上のインタフェースを備える情報処理装置にも適用することができる。
【００３７】
図４において、図１〜図３に示す第１の実施形態におけるのと同一または類似の構成部材には、同一の符号を付し、それらについての詳細な説明は省略する。
図４に示すように、第２の実施形態においては、情報処理装置の一種である磁気テープ装置１は、第１の実施形態における構成要素の他に、バス規格がデバイスインタフェース４と第２インタフェース６とのいずれとも異なる外部デバイス接続用の第６インタフェース(Ｘ)２１と、バス規格をデバイスインタフェース４と同一としたループバック用の第７インタフェース(ＳＡＳ)２２と、第７インタフェース２２にケーブル２３を介して接続されたＳＡＳインタフェース２４を有し、かつこのＳＡＳインタフェース２４と上記第６インタフェース(Ｘ)２１とのバス規格の異なるインタフェース間の伝送を可能とする第２の伝送形式変換装置(ＳＡＳ／Ｘ)２５とをさらに備え、ループバックコネクタ１３における第５インタフェース１５を、第３インタフェース７と第７インタフェース２２とに選択的に接続可能としてある。
【００３８】
第６インタフェース２１のバス規格(Ｘ)は、ＳＡＳおよびＵＳＢのいずれとも相違する、例えば上記特許文献１に記載されているようなＳＡＴＡ等とすることができる。
【００３９】
また、ループバックコネクタ１３は、第４インタフェース１４と第５インタフェース１５とを、可撓性の長いケーブル１６をもって接続したものとし、第４インタフェース１４を第１インタフェース５に接続した状態で、第５インタフェース１５を、第３インタフェース７と第７インタフェース２２とのいずれにも選択的に接続できるようにしてある。
【００４０】
したがって、ループバックコネクタ１３における第４インタフェース１４を第１インタフェース５に、また第５インタフェース１５を第７インタフェース２２にそれぞれ接続した状態で、バス規格を第６インタフェース２１と同一とした、外部デバイス２６におけるインタフェース(Ｘ)２７を第６インタフェース２１に接続することにより、磁気テープ装置１と外部デバイス２６との間で、バス規格をＸとしたインタフェースを用いたデータの伝送が可能となる。
【００４１】
なお、図５(ａ)および(ｂ)に示すように、第１インタフェース５と第３インタフェース７と第７インタフェース２２とをすべて同一形状とし、第１インタフェース５を中央として、その両側方に第３インタフェース７と第７インタフェース２２とを等間隔で配設し、かつループバックコネクタ１３における第４インタフェース１４と第５インタフェース１５との形状を同一とし、図５(ａ)に示すように、ループバックコネクタ１３における第４インタフェース１４を第１インタフェース５に、かつ第５インタフェース１５を第３インタフェース７にそれぞれ接続して、図３に示すのと同様の使用態様としたり、図５(ｂ)に示すように、ループバックコネクタ１３における第４インタフェース１４を第７インタフェース２２に、かつ第５インタフェース１５を第１インタフェース５にそれぞれ接続し、かつ図４に示す外部デバイス２６におけるインタフェース(Ｘ)２７を第６インタフェース２１に接続して、上述したように、磁気テープ装置１と外部デバイス２６との間で、データを伝送したりすることができる。
【００４２】
インタフェース５、７、２２と、ループバックコネクタ１３における第４インタフェース１４および第５インタフェース１５との関係をこのような構成とすると、ループバックコネクタ１３を側方にずらせて装着するだけで、第２インタフェース６を有効としたり、第６インタフェース２１を有効としたりすることができ、その切換作業を簡略化することができる。
【００４３】
第２の実施形態によると、バス規格がデバイスインタフェース４(ＳＡＳ)と第２インタフェース(ＵＳＢ)６とのいずれとも異なるインタフェース(Ｘ)を有する外部デバイス２４と磁気テープディバイス３とのデータ伝送が可能となり、汎用性が増す。
【００４４】
さらに、第６インタフェース２１、第７インタフェース２２、伝送形式変換装置２５等からなる同様のセットを、必要数だけ追加することにより、バス規格がディバイスインタフェース４と異なる複数のバス規格の伝送が可能となる情報処理装置および磁気テープ装置を提供することができる。
【００４５】
本発明は、上記実施形態のみに限定されるものではなく、特許請求の範囲を逸脱することなく、例えば、次のような変形した態様での実施が可能である。
(１)  ループバックコネクタ１３における第４インタフェース１４を第３インタフェース７にも、また第５インタフェース１５を第１インタフェース５にもそれぞれ接続可能とする。
このような構成によると、第１インタフェース５と第３インタフェース７とに対するループバックコネクタ１３の接続関係に煩わされることなく、どちらの向きとしても接続することができるので、操作性がよい。
【００４６】
(２)  第１インタフェース５と第３インタフェース７とを互いに離して、外装ケース２に配設し、それらに対して、長いケーブル１６の両端に接続した第４インタフェース１４と第５インタフェース１５とを着脱可能として接続する。
【００４７】
(３)  ループバックコネクタ１３における第４インタフェース１４と第５インタフェース１５とのいずれか一方を、第２インタフェース６にも接続可能とするか、またはループバックコネクタを、第２インタフェース６を閉塞するようにして、外装ケースに装着可能とする。
このような構成によると、第２インタフェース６がループバックコネクタ１３によって閉塞され、そこに他のインターフェースを接続できなくなり、そのため、第２インタフェースが無効状態にあることを容易に知ることができる。
したがって、このループバックコネクタが、第１インタフェースが有効の状態にあり、かつ第２インタフェースが無効の状態にあることを示す表示装置の役割を果たし、誤接続を防止することができる。
また、ループバックコネクタの不使用時に、ループバックコネクタが紛失するのを防止することができる。
【産業上の利用可能性】
【００４８】
本発明は、磁気テープ装置だけでなく、例えば、特許文献１に記載されているハードディスクドライブをメインデバイスとする記憶装置や、その他の情報処理装置に適用することができる。
【符号の説明】
【００４９】
１  磁気テープ装置(情報処理装置)
２  外装ケース
３  磁気テープデバイス(メインデバイス)
４  デバイスインタフェース(ＳＡＳ)
５  第１インタフェース(ＳＡＳ)
６  第２インタフェース(ＵＳＢ)
７  第３インタフェース(ＳＡＳ)
８  コネクタ
９  ケーブル
１０  ＳＡＳインタフェース
１１  伝送形式変換装置(ＳＡＳ／ＵＳＢ)
１２  ケーブル
１３  ループバックコネクタ
１４  第４インタフェース(ＳＡＳ)
１５  第５インタフェース(ＳＡＳ)
１６  ケーブル
１７  ＳＡＳインタフェース
１８  外部デバイス
１９  ＵＳＢインタフェース
２０  外部デバイス
２１  第６インタフェース(Ｘ)
２２  第７インタフェース(ＳＡＳ)
２３  ケーブル
２４  ＳＡＳインタフェース
２５  伝送形式変換装置(ＳＡＳ／Ｘ)
２６  外部デバイス
２７  インタフェース(Ｘ)
【要約】
【課題】メインデバイスを、分岐手段等を用いることなく、互いにバス規格の異なる第１インタフェースと第２インタフェースとに接続することができ、しかも、切換手段や表示手段等の付属手段を設ける必要をなくした複数のインタフェースを有する情報処理装置を提供する。
【解決手段】磁気テープデバイス３に接続した第１インタフェース(ＳＡＳ)５に、外部デバイスのＳＡＳインタフェースを接続して、データ転送ができるとともに、第１インタフェース５と第３インタフェース(ＳＡＳ)とを、ループバックコネクタ１３をもって接続した状態で、第２インタフェース(ＵＳＢ)６に、外部デバイスのＵＳＢインタフェースを接続することにより、伝送形式変換装置(ＳＡＳ／ＵＳＢ)１１を介して、データ転送することもできるようにする。
【選択図】  図１【図１】
0005426786.tif 000002
【図２】
0005426786.tif 000003
【図３】
0005426786.tif 000004
【図４】
0005426786.tif 000005
【図５】
0005426786.tif 000006